(57)【要約】【課題】器具本体の取付作業性を向上できるとともに、複数個製造する際にも各製品間のばらつきを抑えやすく、かつ各製品も容易に製造することができる固定金具及び照明器具を提供する。【解決手段】本実施形態によれば、固定金具３の金具主部３１から傾斜する傾斜部３２を立上り部３３へ向けて設けたことにより、器具本体１の取付作業性を向上することができる。また、寸法精度が最も要求される一対の天井接触部間の離間寸法Ｌが、金具主部３１と立上り部３３との間に傾斜部３２を介することにより、寸法精度を高めやすくすることができ、固定金具３を複数製造する際の製品間のばらつきを抑えることができやすくなる。【選択図】図３
2004228039.tif 000002
【特許請求の範囲】
【請求項１】
天井に開口された器具取付け孔に挿入される器具本体に連結される金具主部と；
金具主部の長手方向の両端部から斜め下方へ向けて傾斜するように折り曲げられて設けられる一対の傾斜部と；
各々の傾斜部から金具主部の長手方向と略直交するように下方へ折り曲げられて設けられる立上り部と；
各々の立上り部から連続するように金具主部の長手方向と平行となる方向であって、かつ外方へ突出するように設けられる一対の天井接触部と；
を具備することを特徴とする固定金具。
【請求項２】
天井に開口された器具取付け孔に挿入される器具本体と；
器具本体に固定される請求項１記載の固定金具と；
器具取付け孔を覆い隠して固定金具の下側に配置される反射板と；
を具備することを特徴とする照明器具。
【発明の詳細な説明】
【０００１】
【発明の属する技術分野】
本発明は、器具本体を天井裏に配置するために使用される固定金具及び天井埋込形の照明器具に関する。
【０００２】
【従来の技術】
従来、固定金具を用いて天井裏に器具本体を埋込み配置する天井埋込形の照明器具が知られている（例えば、特許文献１参照。）。
【０００３】
この特許文献１記載の照明器具は、まず、細長い箱構造をなす器具本体の両端部に夫々固定金具を連結した状態で、これら固定金具が有した一対の天井接触部が天井の器具取付け孔の孔縁下面に当るまで、器具本体を器具取付け孔に挿入させ器具本体を例えば天井裏から垂下している吊りボルトに吊持する。この後、固定金具の下側に下面開放形の反射板を配置して取付ける。最後に、反射板内に上方から挿入されたランプソケットに直管形蛍光ランプを取付けるという手順で天井へ取付けられるものである。  そして、特許文献１記載のような照明器具に用いられる固定金具は、器具本体に連結される金具主部、一対の天井接触部、この金具主部と天井接触部とに対して折り曲げられてこれら両者を一体に連続させた立上り部とを有しているものであった。
【０００４】
【特許文献１】
特開平１０−２８３８２９号公報（図２）
【０００５】
【発明が解決しようとする課題】
しかしながら、特許文献１記載の固定金具は、立上り部が垂直状であって、これに対して天井接触部及び金具主部が各々直角に折り曲げられているものであるので、天井接触部と立上り部とがなす角部間の離間寸法と金具主部の長さは略等しく形成されているものであり、器具取付け孔の寸法のばらつきにより、垂直な立上り部と金具主部とがなす角部が器具取付け孔の縁部にあたったりするので、器具本体の天井への取付け作業が容易ではない虞があった。
【０００６】
また、この課題を解決する方法としては、両立上り部相互間が金具主部に近づくにつれて狭くなるように両立上り部を傾斜させるような構成も考えられるが、金属製からなる金具主部の両端部から連続して傾斜する立上り部を設ける構成であると、天井接触部と立上り部とがなす角部間の離間寸法にばらつきが生じやすくなってしまい、固定金具を器具取付け孔へ挿入する際に立上り部の一部が器具取付け孔と接触してしまったり、あるいは天井接触部が適切に天井面へ引っ掛からないということが生じる虞もある。
【０００７】
さらに、上記のような固定金具を複数個製造する場合において、金具主部の両端部から折り曲げることにより連続して立上り部を設ける構成を製造することは、天井接触部と立上り部とがなす角部間の離間寸法のばらつきを抑えることが煩雑であり、特に、両立上り部を傾斜させるような構成においては、ばらつきを抑えることが大変煩雑であるという課題もあった。
【０００８】
本発明は上記に鑑みなされたものであり、器具本体の取付作業性を向上できるとともに、複数個製造する際にも各製品間のばらつきを抑えやすく、かつ各製品も容易に製造することができる固定金具及び照明器具を提供することを目的とする。
【０００９】
【課題を解決するための手段】
請求項１の固定金具は、天井に開口された器具取付け孔に挿入される器具本体に連結される金具主部と；金具主部の長手方向の両端部から斜め下方へ向けて傾斜するように折り曲げられて設けられる一対の傾斜部と；各々の傾斜部から金具主部の長手方向と略直交するように下方へ折り曲げられて設けられる立上り部と；各々の立上り部から連続するように金具主部の長手方向と平行となる方向であって、かつ外方へ突出するように設けられる一対の天井接触部と；を具備することを特徴とする。
【００１０】
本発明は、まず、天井に開口された器具取付け孔に挿入される器具本体に連結される金具主部の両端部から斜め下方へ傾斜する一対の傾斜部を形成する。つぎに、各々の傾斜部から連続するように金具主部の長手方向と略直交する方向に一対の立上り部を形成する。そして、各々の立上り部から連続するように金具主部の長手方向と平行となる方向であって、かつ外方へ突出するように一対の天井接触部を形成する。
【００１１】
本発明によれば、器具取付け孔への最初に挿入される金具主部が器具取付け孔よりも狭くなっているから、天井への器具本体の設ける際に固定金具を器具取付け孔へ挿入しやすくなり、傾斜部と金具主部とがなす角部が器具取付け孔にあたって引掛るというようなことを抑制することができ、器具本体の取付作業性を向上することができる。
【００１２】
また、金具主部、一対の傾斜部、一対の立上り部及び一対の天井接触部とが連続した折り曲げにより形成されているので、固定金具の製造を容易とすることができる。さらにまた、複数個の固定金具を製造する際に、寸法的に最も精度が要求される一対の天井接触部間の寸法は、金具主部と立上り部との間に傾斜部を介することにより、容易に寸法精度を高めやすくなるので、各製品間のばらつきを抑えることができやすくなる。
【００１３】
請求項２の照明器具は、天井に開口された器具取付け孔に挿入される器具本体と；器具本体に固定される請求項１記載の固定金具と；器具取付け孔を覆い隠して固定金具の下側に配置される反射板と；を具備することを特徴とする。
【００１４】
請求項２の照明器具は、請求項１記載の作用を奉する。
【００１５】
【発明の実施の形態】
本発明の一実施形態を図面を参照して説明する。図１は本実施形態の照明器具を天井へ設ける状態を示した斜視図であり、図２は本実施形態の照明器具を示す説明図であり、図３は同じく照明器具を示す断面図であり、図４は同じく連結金具を示す説明図である。なお、図２の（ａ）は照明器具の上面図であり、（ｂ）は照明器具の側面図である。
【００１６】
本実施形態の照明器具１０は、器具本体１、固定金具３及び反射板４からなっている。
【００１７】
器具本体１は、金属製からなり、下面が開放された細長い箱構造をなしており、その内部には図２に示したように安定器１１や端子台１２等の電気部品が収容されている。さらに、器具本体１の長手方向両端側には一対のソケット２、２が取付けられている。これらソケット２は、直管蛍光ランプ２１が取外し可能に装着されるものであって器具本体１から下向きに突出して取付けられているものである。
【００１８】
また、器具本体１の相対向する側壁１ａには、その長手方向両端部に位置して縦長なスリットからなる連結孔１３が夫々形成されている。さらに、器具本体１の上壁１ｂには、その長手方向両端部に位置して器具装着孔１４が開けられている。
【００１９】
固定金具３は、金属製からなり、図３，４に示したように、器具本体１の両端側に一対設けられるものであって、各々の固定金具３は、金具主部３１、一対の傾斜部３２、一対の立上り部３３及び一対の天井接触部３４とを具備している。金具主部３１は、その幅方向両側縁を下向きに折り曲げてなる補強フランジ３１ａを有しているとともに、両補強フランジ３１ａの近郊であって、かつ中央部には一対の係合爪３５、３５が各々形成されている。このような一対の係合爪３２は、その爪先が非対向となるように互いに逆方向に爪先端部３５ａ、３５ａが設けられている。
【００２０】
一対の傾斜部３２は、金具主部３１の両端部から連続するように金具主部３１の下方外方側へ向かう方向へ折り曲げられて形成されているものである。また、金具主部３１と同じように補強を目的として補強フランジ３２ａが下方へ折曲げて形成されている。
【００２１】
一対の立上り部３３は、各々の傾斜部３２の金具主部３１側とは反対の端部側から連続するように、金具主部３１の長手方向と直交する方向へ折り曲げられて形成されているものである。また、金具主部３１、傾斜部３２と同じように補強を目的として補強フランジ３３ａが対向する立上り部３３側へ折曲げて形成されている。
【００２２】
また、一対の立上り部３３間の離間寸法Ｈは、金具主部３１の長手方向の寸法よりも大きくなるように形成されている。すなわち、金具主部３１と離間寸法Ｈとの寸法差を吸収するように傾斜部３２が傾斜されて設けられているものである。
【００２３】
一対の天井接触部３４は、各々の立上り部３３の傾斜部３２側とは反対側の端部側から連続し、かつ、金具主部３１の長手方向と平行な方向であって外方へ突出する方向へ折り曲げられて形成されているものである。
【００２４】
また、一対の天井接触部３４は、器具取付け孔５の幅方向に向かい合った孔縁の下面に引っ掛けられるものであるので、両天井接触部３４の先端間の寸法Ｌ（すなわち固定金具３の全長Ｌ）は、器具取付け孔５の開口幅ｌよりも長く形成されている。
【００２５】
さらにまた、金具主部３１と傾斜部３２、及び傾斜部３２と立上り部３３との間には各々スリット３６が設けられている。詳述すると、このスリット３６は、金具主部３１、傾斜部３２及び立上り部３３の補強フランジ３１ａ、３２ａ、３３ａに設けられているものであって、その目的とするところは、連続の折り曲げで各傾斜部３２、立上り部３３を設ける際に一対の天井接触部３４間の離間寸法Ｌのばらつきを抑えるためである。
【００２６】
すなわち、このようなスリット３６を設けることにより、折り曲げ成形を行いやすくするとともに、金具主部３１と傾斜部３２及び傾斜部３２と立上り部３３とが近接／離間する方向への応力を吸収することができ、一対の天井接触部３４間の離間寸法Ｌが安定したものを形成することできる。
【００２７】
反射板４は、下面開放形であって、内面が白色塗装されているものである。そして、その開口縁に器具取付け孔５の孔縁を下側から覆う張り出し開口縁４１を有している。この反射板４の長手方向に延びる両側反射壁は夫々傾斜されている。また、図３に示したように、反射板４の天井反射壁の長手方向両端には夫々ソケット通孔５２が設けられており、これらの通孔からソケット２が挿通されるものである。
【００２８】
また、反射板４の天井反射壁にはねじ通孔５３が設けられており、これらのねじ通孔５３を上方に挿通する化粧ねじ５４を例えばプッシュナット５５にねじ込んで反射板４を固定金具３に取付けるようになっている。
【００２９】
本実施形態の照明器具１０の天井５１への配設方法について説明する。まず、器具本体１の長手方向両端部に夫々固定金具３を連結させるために、固定金具３の係合爪３５の爪先部３５ａ、３５ａを器具本体１の連結孔１３に器具本体１の内側から夫々挿通させ、これら連結孔１３に各係合爪３５を夫々引っ掛ける。そして、器具本体１と固定金具３とが連結した状態で、これら固定金具３の一対の天井接触部３４が天井５１の器具取付け孔５の孔縁下面にあたるまで、器具本体１を天井取付け孔５に挿入する。次に、器具本体１の上壁１ｂの各器具装着孔１４に天井裏の吊りボルト５２の下端部を夫々導入し、器具本体１内において吊りボルト５２の下端部に、ワッシャとナット（図示しない）にて締め上げ固定する。すると、天井接触部３４が器具取付け孔５の孔縁下面に強く密着するとともに器具本体１が２本の吊りボルト５２に吊持すされる。この後、器具取付け孔５に反射板４を挿入して、この反射板４を固定金具３の下側に配置し、化粧ねじ５４を用いて取り付ける。最後に、反射板４の取付けに伴い反射板４内に配置されたソケット２に直管型蛍光ランプ２１を取付けることで、照明器具１０が天井５１に配設される。
【００３０】
本実施形態によれば、固定金具３の金具主部３１から傾斜する傾斜部３２を立上り部３３へ向けて設けたことにより、器具取付け孔５への最初に挿入される金具主部３１が器具取付け孔５よりも狭くなっているから、天井５１への器具本体１の設ける際に固定金具３を器具取付け孔５へ挿入しやすくなる。要するに、傾斜部３２と金具主部３１とがなす角部が器具取付け孔５にあたって引掛るというようなことを抑制することができ、器具本体１の取付作業性を向上することができる。
【００３１】
また、金具主部３１、一対の傾斜部３２、一対の立上り部３３及び一対の天井接触部３４とが連続した折り曲げにより形成されているので、固定金具３の製造が容易である。
【００３２】
また、寸法精度が最も要求される一対の天井接触部３４間の離間寸法Ｌが、金具主部３１と立上り部３３との間に傾斜部３２を介することにより、金具主部３１と立上り部３３とを連続して形成するような構成の固定金具と比べると容易に寸法精度を高めやすくすることができ、固定金具３を複数製造する際の製品間のばらつきを抑えることができやすくなる。
【００３３】
また、スリット３６を設けたことにより、折り曲げ成形が行いやすいとともに、連続して形成することにより生じる金具主部３１と傾斜部３２若しくは傾斜部３２と立上り部３３とが近接／離間する方向への応力が吸収されることとなり、一対の天井接触部３４間の離間寸法Ｌをより安定して形成しやすくなっている。
【００３４】
このように複数の固定金具３を製造する際に、寸法にばらつきが生じることを抑制することができることは、結果的に器具本体１の施工性を向上させることにつながっており、大変有益なものとなる。
【００３５】
【発明の効果】
本発明によれば、天井に開口された器具取付け孔に挿入される器具本体に連結される金具主部と；金具主部の長手方向の両端部から斜め下方へ向けて傾斜するように折り曲げられて設けられる一対の傾斜部と；各々の傾斜部から金具主部の長手方向と略直交するように下方へ折り曲げられて設けられる立上り部と；各々の立上り部から連続するように金具主部の長手方向と平行となる方向であって、かつ外方へ突出するように設けられる一対の天井接触部と；を具備することにより、器具取付け孔への最初に挿入される金具主部が器具取付け孔よりも狭くなっているから、天井への器具本体の設ける際に固定金具を器具取付け孔へ挿入しやすくなり、傾斜部と金具主部とがなす角部が器具取付け孔にあたって引掛るというようなことを抑制することができ、器具本体の取付作業性を向上することができる。
【００３６】
また、金具主部、一対の傾斜部、一対の立上り部及び一対の天井接触部とが連続した折り曲げにより形成されているので、固定金具の製造を容易とすることができる。さらにまた、複数個の固定金具を製造する際に、寸法的に最も精度が要求される一対の天井接触部間の寸法が、金具主部と立上り部との間に傾斜部を介することにより、容易に寸法精度を高めやすくなるので、各製品間のばらつきを抑えることができやすくなる。
【図面の簡単な説明】
【図１】第一実施形態の照明器具を天井へ設ける状態を示した斜視図
【図２】同上照明器具を示す説明図
【図３】同上照明器具を示す断面図
【図４】同上連結金具を示す説明図
【符号の説明】
１・・・器具本体、３・・・金具、４・・・反射板、１０・・・照明器具、３１・・・金具主部、３２・・・傾斜部、３３・・・立上り部、３４・・・天井接触部、
【図１】
2004228039.tif 000003
【図２】
2004228039.tif 000004
【図３】
2004228039.tif 000005
【図４】
2004228039.tif 000006